(57)【要約】【課題】排水性の良好な建物の外壁構造を提供すること。【解決手段】窯業サイディングのパネル３０が取り付けられる建物１００の外壁３において、左右方向に隣接するパネル３０の間に上下方向に延びるように配置され、隣接するパネル３０同士を接続するジョイナー２と、ジョイナー２の下方に配置される排水部材４と、を備え、ジョイナー２は、パネル３０の裏面と、パネル３０が取り付けられる建物１００の取り付け面との間に、下方に通気又は通水可能に配置され、排水部材４は、ジョイナー２の延びる方向に沿って配置されるガイド部４１、及びガイド部４１の下端に配置され、ガイド部４１から外壁３の屋外側表面に向かって開口する排水部４２を有する、建物外壁の排水構造１である。【選択図】図１
2020002704.tif 000002
【特許請求の範囲】
【請求項１】
窯業サイディングのパネルが取り付けられる建物の外壁において、
左右方向に隣接する前記パネルの間に上下方向に延びるように配置され、隣接する前記パネル同士を接続するジョイナーと、
前記ジョイナーの下方に配置される排水部材と、を備え、
前記ジョイナーは、前記パネルの裏面と、前記パネルが取り付けられる前記建物の取り付け面との間に、下方に通気又は通水可能に配置され、
前記排水部材は、前記ジョイナーの延びる方向に沿って配置されるガイド部、及び前記ガイド部の下端に配置され、前記ガイド部から前記外壁の屋外側表面に向かって開口する排水部を有する、建物外壁の排水構造。
【請求項２】
前記ガイド部は、前記ジョイナーよりも屋内側で上下方向に延びる背面部と、前記背面部の幅方向両端部から屋内外方向に延び、前記ジョイナーを内側に支持可能な一対の側壁部と、を有し、
前記排水部は、前記ガイド部の下端から連続して屋外側へ延びる底面部を有する、請求項１に記載の建物外壁の排水構造。
【請求項３】
前記ガイド部は、上下に長い略長方形の板体で形成され、
前記排水部は、前記ガイド部の下端から連続して屋外側へ延びる底面部及び前記底面部の屋外側の端部から下方に向かって屈曲する前掛け部を有し、
前記ガイド部及び前記排水部は、一枚の金属製の板材で構成される、請求項１に記載の建物外壁の排水構造。
【請求項４】
前記ガイド部は、長方形のガイド部本体と、前記ガイド部本体の幅方向の端部から屋外側に向かって延びる側壁部と、を有する請求項３に記載の建物外壁の排水構造。
【請求項５】
前記ジョイナーは、前記外壁の出隅部に配置され、
前記排水部材は、前記出隅部に合わせて切断された前記パネルの切断端部と前記ジョイナーとの間に配置される、請求項１〜４のいずれか１項に記載の建物外壁の排水構造。
【発明の詳細な説明】
【技術分野】
【０００１】
本発明は、建物外壁の排水構造に関する。
【背景技術】
【０００２】
従来、窯業サイディング等のパネルを接合して建物の外壁を形成する場合、左右に隣接するパネルとパネルを接合するために、上下方向に延びるジョイナーを用いることが知られている。ジョイナーは、パネルの左右方向の端部の裏側に係合し、パネルが固定される躯体等の取り付け面とパネルとの間に配置される。パネルと、パネルが固定される取り付け面との間には、ジョイナーにより通気空間が形成される（例えば、特許文献１参照）。ジョイナーの通気空間には、雨水が上下に通過する場合があった。
【先行技術文献】
【特許文献】
【０００３】
【特許文献１】特許５５４１９０３号公報
【発明の概要】
【発明が解決しようとする課題】
【０００４】
ところで、建物の外壁には、建物にバルコニーや窓等が配置され、出隅等の角部が形成されることがある。外壁を構成するパネルは、外壁の形状に合わせて切断される。ジョイナーは、通常建物の上下方向に連続して接合されているが、外壁の形状が変わる位置で、ジョイナーが部分的に途切れることがある。このような場合に、ジョイナーの通気空間を通過した雨水が、ジョイナーの途切れた部分で、パネルの裏面や躯体との接合部等へ回り込む懸念があった。そこで、ジョイナーを用いてパネル同士を接合する場合に、雨水を排水可能な排水構造が求められていた。
【課題を解決するための手段】
【０００５】
本発明は、窯業サイディングのパネル（例えば、後述のパネル３０）が取り付けられる建物（例えば、後述の建物１００）の外壁（例えば、後述の外壁３）において、左右方向に隣接する前記パネルの間に上下方向に延びるように配置され、隣接する前記パネル同士を接続するジョイナー（例えば、後述のジョイナー２）と、前記ジョイナーの下方に配置される排水部材（例えば、後述の排水部材４）と、を備え、前記ジョイナーは、前記パネルの裏面と、前記パネルが取り付けられる前記建物の取り付け面との間に、下方に通気又は通水可能に配置され、前記排水部材は、前記ジョイナーの延びる方向に沿って配置されるガイド部（例えば、後述のガイド部４１）、及び前記ガイド部の下端に配置され、前記ガイド部から前記外壁の屋外側表面に向かって開口する排水部（例えば、後述の排水部４２）を有する、建物外壁の排水構造（例えば、後述の建物外壁の排水構造１）に関する。
【０００６】
前記ガイド部は、前記ジョイナーよりも屋内側で上下方向に延びる背面部（例えば、後述の背面部４１１）と、前記背面部の幅方向両端部から屋内外方向に延び、前記ジョイナーを内側に支持可能な一対の側壁部（例えば、後述の側壁部４１２）と、を有し、前記排水部は、前記ガイド部の下端から連続して屋外側へ延びる底面部（例えば、後述の底面部４２１）を有することが好ましい。
【０００７】
前記ガイド部は、上下に長い略長方形の板体で形成され、前記排水部は、前記ガイド部の下端から連続して屋外側へ延びる底面部（例えば、後述の底面部４２１Ａ）及び前記底面部の屋外側の端部から下方に向かって屈曲する前掛け部（例えば、後述の前掛け部４３）を有し、前記ガイド部及び前記排水部は、一枚の金属製の板材で構成されることが好ましい。
【０００８】
前記ガイド部は、長方形のガイド部本体（例えば、後述のガイド部本体４１３）と、前記ガイド部本体の幅方向の端部から屋外側に向かって延びる側壁部（例えば、後述の側壁部４１４）と、を有することが好ましい。
【０００９】
前記ジョイナーは、前記外壁の出隅部（例えば、後述の出隅部１４）に配置され、前記排水部材は、前記出隅部に合わせて切断された前記パネルの切断端部と前記ジョイナーとの間に配置されることが好ましい。
【発明の効果】
【００１０】
本発明によれば、排水性の良好な建物の外壁構造を提供することができる。
【図面の簡単な説明】
【００１１】
【図１】第１実施形態の建物外壁の排水構造の斜視図である。
【図２】第１実施形態の建物外壁の排水構造の正面図である。
【図３】第１実施形態の建物外壁の排水構造の平面図である。
【図４】第１実施形態のジョイナーの斜視図である。
【図５】第１実施形態の排水部材の斜視図である。
【図６】第１実施形態のジョイナーと排水部材を示し、（ａ）図は上面図、（ｂ）図は正面図、（ｃ）図は側面図を示す。
【図７】第２実施形態の建物外壁の排水構造の斜視図である。
【図８】第２実施形態の建物外壁の排水構造の正面図である。
【図９】第２実施形態の排水部材の斜視図である。
【図１０】第１実施形態の第２ジョイナーの斜視図である。
【発明を実施するための形態】
【００１２】
以下、本発明の第１実施形態について、図面を参照しながら詳細に説明する。図１は、本実施形態の建物外壁の排水構造１の斜視図であり、図２は正面図であり、図３は平面図である。図１〜３に示すように、建物外壁の排水構造１は、建物１００の外壁３に形成されるバルコニー１１の出隅部分に形成される。
建物１００は、壁面から突出するバルコニー１１と、躯体１０と、外壁３と、出隅部１４と、ジョイナー２と、排水部材４と、を有する。
【００１３】
躯体１０は、建物１００の柱等の構造部を含む。なお、図１〜３では、図示を省略して示しているが、躯体１０には、上下方向に延びる胴縁や防水シート等が取り付けられており、これら躯体１０や胴縁等がパネル３０を取り付ける取り付け面となっている。
外壁３は、本実施形態では、窯業サイディングのパネル３０が取り付けられる。
パネル３０は、略長方形の板状の外壁材であり、躯体１０の屋外側に固定される。パネル３０は、上下左右を隣接するパネル３０と嵌合させて組み合わせることにより、外壁３を形成する。
【００１４】
バルコニー１１は、壁面から屋外側へ張り出して形成される略長方形の空間であり、バルコニー開口部１２及びバルコニー内壁面１３を有する。
バルコニー開口部１２は、バルコニー１１の屋外側の前面に形成される略長方形の開口部である。
バルコニー内壁面１３は、バルコニー１１の屋内側から屋外側へ延びる見込面であり、屋外側の端部で外壁３と繋がる。
【００１５】
出隅部１４は、バルコニー内壁面１３と外壁３とが交差する角部である。出隅部１４には、外壁３のパネル３０と表面が同じ素材及び模様で形成されるコーナー部材１４０が配置される。
コーナー部材１４０は、断面視で略直角に屈曲し、屈曲した端部近傍の屋内側が、直角に切り欠かれた裏じゃくり部１４１を有する（図３参照）。
【００１６】
図４は、ジョイナー２の斜視図である。
ジョイナー２は、図１及び図２に示すように、躯体１０の屋外側に取り付けられて上下方向に延びる目地ジョイナーである。ジョイナー２は、左右方向に隣接するパネル３０の間に配置され、パネル３０同士を接続する。ジョイナー２は、図３に示すように、パネル３０の裏面（屋内側面）と、パネル３０が取り付けられる建物１００の躯体１０との間に配置される。
【００１７】
ジョイナー２は、図４に示すように、断面視で屋内外方向に突出する凸部及び窪む凹部が互い違いに接合されたような形状をしており、長尺の金属製の板により構成される。ジョイナー２は、幅方向の一方及び他方に、屋内側が閉じており、屋外側が開口する第１固定凹部２１及び第２固定凹部２２と、第１固定凹部２１及び第２固定凹部２２の間に配置され、屋外側が閉じており、屋内側が開口する突出部２３と、止水パッキン２４とを有する。
【００１８】
第１固定凹部２１は、屋内外方向に延びる第１側壁２１１及び第２側壁２１２と、第１側壁２１１及び第２側壁２１２を接続し、躯体１０側で固定される第１固定面２１３と、を有する。
【００１９】
第２固定凹部２２は、屋内外方向に延びる第３側壁２２１及び第４側壁２２２と、第３側壁２２１及び第４側壁２２２を接続し、躯体１０側で固定される第２固定面２２３と、を有する。第２固定凹部２２は、第１固定凹部２１よりも左右方向の幅が狭い。
【００２０】
突出部２３は、第１固定凹部２１の第２側壁２１２及び第２固定凹部２２の第４側壁２２２から連続して屋外側に突出する。
突出部２３は、第２側壁２１２の屋外側端部から、第２固定凹部２２側に向かって見付方向に延出した後、屋外側に屈曲する。突出部２３は、断面視で第１固定凹部２１側が略Ｌ字状に切り欠かれ、切欠き部２３１を形成する。切欠き部２３１は、図３に示すように、パネル３０の端部に係合する。
突出部２３は、また、第２固定凹部２２の第４側壁２２２から屋外側へ直線状に延び、先端で第１固定凹部２１側へ屈曲する。突出部２３の第２固定凹部２２側は、第１固定凹部２１及び第２固定凹部２２よりも屋外側に突出する凸部２３２を形成する。図３に示すように、凸部２３２は、出隅部１４を構成するコーナー部材１４０の裏じゃくり部１４１に係合する。
なお、突出部２３の屋外側面及び切欠き部２３１の屋外側面には、エプトシーラー２５が貼付されている。
【００２１】
第１固定凹部２１、第２固定凹部２２及び突出部２３は、それぞれ屋内外方向に延びる側壁を有し、躯体１０と外壁３との間で空気が上下に通気可能である。また、第１固定凹部２１、第２固定凹部２２及び突出部２３を伝って、パネル３０等の隙間から入りこんだ雨水が下方に通水可能である。
【００２２】
止水パッキン２４は、第１固定凹部２１の第１固定面２１３から第２固定凹部２２の第２固定面２２３まで連続して、屋内側に設けられる。止水パッキン２４は、長尺で平坦な弾性部材であり、例えば、発泡ポリプロピレンである。
【００２３】
図５は排水部材４の斜視図である。図６（ａ）は、排水部材４とジョイナー２とが組み合わされた上面図であり、図６（ｂ）は、正面図であり、図６（ｃ）は側面図である。
排水部材４は、ジョイナー２の下方に配置され、ジョイナー２を伝って流れた雨水を受け、屋外側に排水する部材である。排水部材４は、ガイド部４１と、排水部４２と、を有する。排水部材４は、樹脂の成形品である。
【００２４】
ガイド部４１は、図５及び図６（ｃ）に示されるように、ジョイナー２の延びる方向に沿って配置され、ジョイナー２を伝い落ちた水を案内するように起立する。ガイド部４１は、背面部４１１と、一対の側壁部４１２と、を有する。
【００２５】
背面部４１１は、ジョイナー２の屋内側で上下方向に延びる面である。図６（ａ）に示すように、背面部４１１は、ジョイナー２の第１固定面２１３及び第２固定面２２３の背面側、すなわち屋内側に位置する。背面部４１１は、屋外側に向かって突出する背面部突起４１１ａを有する。背面部突起４１１ａの上面に、ジョイナー２の下端が載るように配置される。詳細には、背面部突起４１１ａの上面に、第１固定面２１３及び第２固定面２２３の下端が当接する。
【００２６】
一対の側壁部４１２は、背面部４１１の幅方向の両端側から、屋内外方向に延出する面である。側壁部４１２は、ジョイナー２の第１側壁２１１及び第３側壁２２１よりも幅方向外側に位置し、ジョイナー２を囲んで内側に支持する。側壁部４１２は、幅方向の内側に向かって突出する側壁部突起４１２ａを有する。側壁部突起４１２ａの上面と、背面部突起４１１ａの上面とは、略同一水平線上にあり、ジョイナー２の下端を支持している。詳細には、側壁部突起４１２ａの上面に、第１側壁２１１及び第３側壁２２１の下端が当接する。
【００２７】
排水部４２は、ガイド部４１の下端に配置される。排水部４２は、ジョイナー２を伝い落ちた水を受け止めるように、ガイド部４１から外壁３の屋外側表面に受かって延びる。排水部４２は、底面部４２１と、上面部４２２と、開口部４２０と、排水部側壁部４２３とを有する。
【００２８】
底面部４２１は、図５に示すように、ガイド部４１の下端から緩やかにカーブして連続し、屋外側へ向かってパネル３０の表面まで延出する板面である。
【００２９】
上面部４２２は、底面部４２１から上方に離間した位置に屋内外方向に延出する面である。上面部４２２は、屋内側部４２２ａと屋外側部４２２ｂとで段差があり、屋内側部４２２ａの方が屋外側部４２２ｂよりも低くなっている。屋内側部４２２ａの上面は、ジョイナー２の凸部２３２内を伝い落ちた雨水を受け止め、屋外側へ流さずに、ガイド部４１の背面部４１１側へ送るように形成されている。
【００３０】
排水部側壁部４２３は、底面部４２１及び上面部４２２の幅方向の外側に接続され、図６（ｂ）及び図６（ｃ）に示されるように、底面部４２１の幅方向の両端部から上方に向かって起立する板面である。一対の排水部側壁部４２３同士の間の距離は、ジョイナー２の幅と同じ又はそれよりも大きい。
【００３１】
開口部４２０は、排水部４２の上面部４２２、底面部４２１及び排水部側壁部４２３で囲まれる空間に形成され、ガイド部４１側から連通する。上面部４２２、底面部４２１及び排水部側壁部４２３により方形筒状の開口部４２０が形成されることで、ジョイナー２を伝ってガイド部４１に流れた躯体１０と外壁３との間の空気又は雨水を、屋外側へ通気又は通水可能になっている。
【００３２】
図１及び図２に戻って、ジョイナー２及び排水部材４の使用の状態について説明する。
図１及び図２に示すように、パネル３０は、バルコニー開口部１２の周囲に形成された出隅部１４の形状に合わせて、角部を形成するように略Ｌ字型に切断されている。ジョイナー２は、出隅部１４のコーナー部材１４０の上下方向に延びる端縁に沿って配置され、バルコニー開口部１２の下縁の延長線上で、ジョイナー２の下端が切断されている。ジョイナー２は、コーナー部材１４０とパネル３０とを接続することで、パネル３０及びコーナー部材１４０に表面が覆われる。
【００３３】
図３に示すように、パネル３０と躯体１０との間には、ジョイナー２の第１固定凹部、第２固定凹部２２及び突出部２３の内部に空間が形成されており、この空間を伝って上下に雨水が流れ落ちる場合がある。
【００３４】
排水部材４は、出隅部１４に合わせて切断されたパネル３０の切断端部とジョイナー２との間に配置されている。排水部材４のガイド部４１は、ジョイナー２の周囲を背面部４１１及び側壁部４１２により囲み、ジョイナー２の下端を背面部突起４１１ａ及び側壁部突起４１２ａにより支持しているので、ジョイナー２を伝い落ちる雨水を外側に漏らすことなく、ガイド部４１及び排水部４２の底面部４２１で受け止める。開口部４２０は、パネル３０の屋外側に開口しており、雨水を屋外側に排水する。
【００３５】
本実施形態によれば、以下の効果が奏される。
本実施形態では、建物外壁の排水構造１を、窯業サイディングのパネル３０が取り付けられる建物１００の外壁３において、左右方向に隣接するパネル３０の間に上下方向に延びるように配置され、隣接するパネル３０同士を接合するジョイナー２と、ジョイナー２の下方に配置される排水部材４と、を含んで構成した。また、ジョイナー２を、パネル３０の裏面と、パネル３０が取り付けられる建物１００の躯体１０等の取り付け面との間に、下方に通気又は通水可能に配置した。また、排水部材４を、ジョイナー２の延びる方向に沿って配置されるガイド部４１、及びガイド部４１の下端に配置され、ガイド部４１から外壁３の屋外側表面に向かって開口する排水部４２を含んで構成した。
建物１００にバルコニー１１や窓を設けたり、又は建物１００内部の間取りの都合等により、外壁３の形状が変化する部分で、外壁３のパネル３０を切断し、ジョイナー２を切断して配置する場合がある。このような場合でも、ジョイナー２の下方に外壁３の屋外側表面に向かって開口する排水部４２を有する排水部材４を配置した。ジョイナー２は、パネル３０の裏面と建物１００におけるパネル３０の取り付け面との間に上下方向に延びている。このため、ジョイナー２を伝って流れ落ちる雨水を屋外側へ排水することが可能になり、排水性の良好な建物の外壁構造を提供することができる
【００３６】
本実施形態では、ガイド部４１を、ジョイナー２よりも屋内側で上下方向に延びる背面部４１１と、背面部４１１の幅方向両端部から屋内外方向に延び、ジョイナー２を内側に支持可能な一対の側壁部４１２と、を含んで構成した。また、排水部４２を、ガイド部４１の下端から連続して屋外側へ延びる底面部４２１を含んで構成した。
排水部材４のガイド部４１は、背面部４１１及び一対の側壁部４１２の内側にジョイナー２の下端部を保持することができ、このガイド部４１の下端から連続して屋外側へ底面部４２１が延びているので、ジョイナー２を伝う雨水を、外側に漏らすことなく確実に排水することができる。
【００３７】
本実施形態では、ジョイナー２を、外壁３の出隅部１４に配置し、排水部材４を、出隅部１４に合わせて切断されたパネル３０の切断端部とジョイナー２との間に配置させた。
建物１００の出隅部１４において、外壁３のパネル３０を略Ｌ字型に切断していた場合に、ジョイナー２が途切れても、ジョイナー２を伝った雨水を屋外側へ良好に排水することができる。
【００３８】
以上、本発明の好ましい実施形態について説明したが、本発明は、上述の実施形態に制限されるものではなく、適宜変更が可能である。
例えば、上記実施形態では、ジョイナー２と排水部材４とは接続されているが、接続されていなくてもよい。ジョイナー２が躯体１０の上下方向の中途部分で途切れているとき、排水部材４を、ジョイナー２の延びる方向に沿って延出させた仮想延長線上の下方に配置してもよい。ジョイナー２を配置する部分の建物１００の構造上の理由で、排水部材４をジョイナー２と直接接続させることができなくても、ジョイナー２の下方に配置することで、雨水がジョイナー２の下方に落ち、排水部材４で受け止めることができる。
【００３９】
図７は、第２実施形態に係る建物外壁の排水構造１Ａの斜視図を示し、図８は、正面図を示す。図９は、第２実施形態における排水部材４Ａの斜視図である。図１０は、第２ジョイナー７の斜視図である。
図７及び８に示すように、第２実施形態に係る排水構造１Ａは、縦長のガイド部４１Ａを有する排水部材４Ａ及び第２ジョイナー７を有する。
図９に示すように、排水部材４Ａにおけるガイド部４１Ａ及び排水部４２Ａは、一枚の金属製の板材を折り曲げて形成されている点で第１実施形態と異なる。
【００４０】
ガイド部４１Ａは、屋外側に向かって開口する断面視略コの字状の形状を有し、ガイド部本体４１３と、側壁部４１４とを有する。
ガイド部本体４１３は、上下に長い略長方形の板体で形成され、躯体１０に沿って配置される。
側壁部４１４は、ガイド部本体４１３の幅方向の端部から、ガイド部本体４１３に対して略直交し、屋外側に向かって延出する。側壁部４１４は上下長い長方形の板体で、幅方向が屋内外方向に延び、長手方向の長さは、ガイド部本体４１３の長さと同じである。
【００４１】
排水部４２Ａは、底面部４２１Ａと、前掛け部４３と、を有する。
底面部４２１Ａは、平坦な金属の板面であり、略長方形である。底面部４２１Ａは、ガイド部４１Ａの下端から連続して屋外側へ延びるように配置される。底面部４２１Ａは、屋内側から屋外側に向かうに従って下方に下がるように傾斜している。
前掛け部４３は、底面部４２１Ａの屋外側の端部から下方に向かって屈曲し、下方に延出す板面である。前掛け部４３の幅は、底面部４２１Ａの幅と同じであり、底面部４２１Ａから連続して延出する。
【００４２】
排水部材４Ａは、ジョイナー２の下方に配置される。ジョイナー２は、バルコニー開口部１２の出隅部１４で、途中で途切れて配置されている。
排水部材４Ａは、途切れたジョイナー２の下方に配置される。
ガイド部４１Ａは、上下に長く形成されており、ガイド部本体４１３及び側壁部４１４が断面視でコの字状に形成されているので、ガイド部本体４１３及び側壁部４１４の内側にジョイナー２を配置すれば、ジョイナー２から落ちる雨水を効率良く底面部４２１Ａへ導くことができる。底面部４２１Ａへ落ちた雨水は、底面部４２１Ａの傾斜を伝って屋外側へ流れ、底面部４２１Ａの左右又は前掛け部４３を伝って下方へ排水される。
【００４３】
図１０に示すように、第２ジョイナー７は、一枚の金属製の板体を折り曲げて成形した片ハットジョイナーである。第２ジョイナー７は、外壁３の上下に隣接するパネル３０の間に配置される目地ジョイナーである。第２ジョイナー７は、ガイド面７１及び支持部７２を有する。
ガイド面７１は、平坦な長方形の板体である。
支持部７２は、ガイド面７１の下端部から屋外側に向かって略コの字状に屈曲する。支持部７２は、ガイド面７１から屋外側に延びる第１支持平面７２１と、第１支持平面７２１の屋外側の端部から下方に延びる第２支持平面７２２と、第２支持平面７２２の下端から屋内側へ延び、第１支持平面７２１と対向する第３支持平面７２３と、を有する。
【００４４】
第２ジョイナー７は、排水部材４に隣接して配置され、上下に隣接するパネル３０同士の間に支持部７２が挿入される。図７及び図８に示すように、第２ジョイナー７が排水部材４と隣接して配置されることで、出隅部１４のコーナー部材１４０と切断されたパネル３０との間の隙間が埋まり、排水部材４の周囲で強度が向上するとともに、雨水の侵入を防止しやすくなる。なお、排水部材４及び第２ジョイナー７の周囲には、コーキング剤が充填される。
【００４５】
第２ジョイナー７が排水部材４Ａに隣接して配置されていると、上下に隣接するパネル３０同士の間に支持部７２が挿入されて強度を向上させることに加えて、排水部材４Ａの底面部４２１Ａと、底面部４２１Ａの上側配置されるパネル３０との間の隙間が、支持部７２より支持される。このため、排水部材４Ａが安定して配置される。
【００４６】
第２ジョイナー７は、排水部材４Ａに隣接して一つだけ配置してもよいが、上下に隣接するパネル３０の間に沿って連続して配置してもよい。
【００４７】
第２実施形態では、第１実施形態で奏される効果に加えて、排水部材４Ａが金属で形成されているので、成形が容易であり、耐久性に優れるという効果を奏する。
【００４８】
また、ガイド部４１Ａが側壁部４１２を有しているので、ジョイナー２の下端部の周囲を、躯体１０側から屋外側へ向かって開口する略コの字状に覆うことができる。このため、雨水を漏らすことなく排水することができる。また、ジョイナー２と排水部材４Ａが上下に離間している場合でも、ジョイナー２から垂れ落ちる雨水をより確実に排水部４２Ａへ案内することができる。
【００４９】
なお、第２ジョイナー７は、第２実施形態の排水部材４Ａと隣接して配置した例を説明したが、これに限られない。第２ジョイナー７を、第１実施形態の排水部材４に隣接して配置させてもよい。
【符号の説明】
【００５０】
１      建物外壁の排水構造
２      ジョイナー
３      外壁
４      排水部材
１４    出隅部
３０    パネル
４１、４１Ａ    ガイド部
４２、４２Ａ    排水部
４３    前掛け部
１００  建物
４１１  背面部
４１２  側壁部
４１３  ガイド部本体
４１４  側壁部
４２１、４２１Ａ  底面部
【図１】
2020002704.tif 000003
【図２】
2020002704.tif 000004
【図３】
2020002704.tif 000005
【図４】
2020002704.tif 000006
【図５】
2020002704.tif 000007
【図６】
2020002704.tif 000008
【図７】
2020002704.tif 000009
【図８】
2020002704.tif 000010
【図９】
2020002704.tif 000011
【図１０】
2020002704.tif 000012